(57)【要約】    【課題】      授業や講義で必要となるメールの送受信やインターネット接続のみを可能とする通信システムおよびサーバ装置を提供すること。    【解決手段】  通信システム１０において、プロキシサーバ装置１０３においては、携帯端末装置１０１からアクセス要求（メール受信要求、メール送信要求およびＷＥＢ閲覧要求）を受信し、そのアクセス要求を受信した日時の日時情報とアクセス要求に含まれる端末ＩＤとに基づいて授業データベース部１３４を検索して授業ＩＤを特定し、この授業ＩＤおよびアクセス要求の種別とに対応するアクセス許否情報が条件データベース部１３５にて許可を示すときにのみ、アクセス要求をしてきた携帯端末装置１０１の学校外のネットワークシステム、すなわち情報通信ネットワークシステム３０やその情報通信ネットワークシステム３０を介したメールサーバ装置４０およびコンテンツサーバ装置５０へのアクセスを制御することができる。  【選択図】      図１
2006033366.tif 000002
【特許請求の範囲】
【請求項１】
携帯端末装置と、学校内にある前記携帯端末装置を収容する構内基地局装置と、前記携帯端末装置による前記構内基地局装置を介したネットワークシステムへのアクセスを管理するサーバ装置とを備える通信システムであって、
前記サーバ装置は、
前記携帯端末装置からのアクセス要求を受信する受信手段と、
前記携帯端末装置の端末識別情報と前記携帯端末装置のユーザが受講する授業の授業識別情報と前記授業の行われる日時情報と前記授業において前記アクセス要求の種別ごとの許否を示すアクセス許否情報とを対応づけて記憶する記憶手段と、
前記アクセス要求を受信した日時の前記日時情報と前記アクセス要求に含まれる前記端末識別情報とに基づいて前記記憶手段を検索して前記授業識別情報を特定し当該授業識別情報および前記アクセス要求の種別とに対応する前記アクセス許否情報が許可を示すときにのみ前記携帯端末装置の前記ネットワークシステムへのアクセスを許可する制御手段と、
を具備することを特徴とする通信システム。
【請求項２】
携帯端末装置と、学校内にある前記携帯端末装置を収容する構内基地局装置と、前記携帯端末装置による前記構内基地局装置を介したネットワークシステムへの送信メールの送信および前記携帯端末装置による前記ネットワークシステムからの受信メールの受信を管理するサーバ装置とを備える通信システムであって、
前記サーバ装置は、
前記携帯端末装置からのメール受信要求およびメール送信要求を受信し、かつ、前記携帯端末装置からの前記送信メールおよび前記ネットワークシステムからの前記受信メールの受信を行う受信手段と、
前記携帯端末装置の端末識別情報と前記携帯端末装置のユーザが受講する授業の授業識別情報と前記授業の行われる日時情報と前記授業における前記送信メールおよび前記受信メールごとの監視項目および監視内容とを記憶する記憶手段と、
前記メール受信要求および前記メール送信要求を受信した日時の前記日時情報と前記メール受信要求および前記メール送信要求に含まれる前記端末識別情報とに基づいて前記記憶手段を検索して前記授業識別情報を特定し前記送信メールおよび前記受信メールの各々における特定した前記授業識別情報の前記監視項目に対応する部分に前記監視内容が含まれているときにのみ前記送信メールの前記ネットワークシステムへの転送および前記受信メールの前記携帯端末装置への転送を許可する制御手段と、
を具備することを特徴とする通信システム。
【請求項３】
携帯端末装置と、学校内にある前記携帯端末装置を収容する構内基地局装置と、前記携帯端末装置による前記構内基地局装置を介したネットワークシステムのウェブへのアクセスを管理するサーバ装置とを備える通信システムであって、
前記サーバ装置は、
前記携帯端末装置からのウェブ閲覧要求の受信を行う受信手段と、
前記携帯端末装置の端末識別情報と前記携帯端末装置のユーザが受講する授業の授業識別情報と前記授業の行われる日時情報と前記授業におけるウェブ閲覧の監視項目および監視内容とを記憶する記憶手段と、
前記ウェブ閲覧要求を受信した日時の前記日時情報と前記ウェブ閲覧要求に含まれる前記端末識別情報とに基づいて前記記憶手段を検索して前記授業識別情報を特定し前記ウェブ閲覧要求における特定した前記授業識別情報の前記監視項目に対応する部分に前記監視内容が含まれているときにのみ前記ウェブへのアクセスを許可する制御手段と、
を具備することを特徴とする通信システム。
【請求項４】
前記サーバ装置は、前記記憶手段が記憶する各種データの登録を制御する他の制御手段を具備し、
前記記憶手段は、記憶している各種情報を設定することができる設定権限者情報およびその設定権限者を認識する設定権限者識別情報を前記授業識別情報と対応させてさらに記憶し、
前記他の制御手段は、入力される設定データに含まれるデータ設定者情報およびデータ設定者識別情報と、前記記憶手段に記憶されている前記設定権限者情報および前記設定権限者識別情報とが一致するときに、前記設定データの登録を制御することを特徴とする請求項１から請求項３のいずれかに記載の通信システム。
【請求項５】
携帯端末装置からのアクセス要求を受信する受信手段と、
前記携帯端末装置の端末識別情報と前記携帯端末装置のユーザが受講する授業の授業識別情報と前記授業の行われる日時情報と前記授業において前記アクセス要求の種別ごとの許否を示すアクセス許否情報とを対応づけて記憶する記憶手段と、
前記アクセス要求を受信した日時の前記日時情報と前記アクセス要求に含まれる前記端末識別情報とに基づいて前記記憶手段を検索して前記授業識別情報を特定し当該授業識別情報および前記アクセス要求の種別とに対応する前記アクセス許否情報が許可を示すときにのみ前記携帯端末装置の前記ネットワークシステムへのアクセスを許可する制御手段と、
を具備するサーバ装置。
【請求項６】
前記記憶手段が記憶する各種データの登録を制御する他の制御手段を具備し、
前記記憶手段は、記憶している各種情報を設定することができる設定権限者情報およびその設定権限者を認識する設定権限者識別情報を前記授業識別情報と対応させてさらに記憶し、
前記他の制御手段は、入力される設定データに含まれるデータ設定者情報およびデータ設定者識別情報と、前記記憶手段に記憶されている前記設定権限者情報および前記設定権限者識別情報とが一致するときに、前記設定データの登録を制御することを特徴とする請求項５記載のサーバ装置。
【発明の詳細な説明】
【技術分野】
【０００１】
本発明は、通信システムおよびサーバ装置に関し、特に携帯端末装置を授業のツールとして利用する通信システムおよびそれを構成するサーバ装置に関する。
【背景技術】
【０００２】
近年、携帯端末装置を授業や講習会のツールとして使うシステムの実施がなされており、例えば、授業中に使用する教材のコンテンツを携帯端末装置に配信したり、講師の出題した問題に対する回答を集計するレスポンスアナライザの端末装置として携帯端末装置のメール機能やインターネット接続機能を利用している。また、遠隔講義のフィードバック情報を収集すること（非特許文献１参照）や、生徒の意見をＷＥＢ上の掲示板に発表すること（非特許文献２）に携帯端末装置を活用した授業が実施されている。
【０００３】
また、近年、携帯端末装置の普及による利便性を享受している一方で、使用する場所などによっては周囲の人に対して迷惑を掛けてしまう不都合が生じている。例えば、教室や講習会などでは、生徒や聴講者などの携帯端末装置にかかってくる着信やメールによって講義が妨害されるのを防ぐため、携帯端末装置の電源をオフにしたり、マナーモードに設定したりする方策が採られている。
【０００４】
また、生徒や聴講者が、電源をオフにしたり、マナーモードに設定するのを忘れてしまうことを防ぐための解決策として、強制的に電源オフやマナーモードにするシステムも多数提案されている（特許文献１、２、３参照）。
【特許文献１】特許第３０１２６２９号公報
【特許文献２】特許第３４９８０５９号公報
【特許文献３】特許第３５０８８４０号公報
【非特許文献１】日本教育工学会論文誌  Vol.26，No.3(2002)  「衛星通信遠隔講義における携帯電話を用いたフィードバック情報収集システムの開発と評価」
【非特許文献２】日本教育工学会  第１８回  「携帯電話対応コメントカードシステムを活用した多人数講義における授業コミュニケーションの改善」
【発明の開示】
【発明が解決しようとする課題】
【０００５】
しかしながら、携帯端末装置を授業や講習会のツールとして使う従来のシステムにおいては、授業中に関係のないメールやＷＥＢ閲覧により、生徒が集中して授業に参加することができなくなったり、授業の進行が妨げられたりする不都合について何ら考慮されていない。また、従来のシステムにおいては、携帯端末装置をツールとして使うため、携帯端末装置の電源をオフにしたり、マナーモードすることはできない。
【０００６】
本発明は、かかる点に鑑みてなされたものであり、授業や講義で必要となるメールの送受信やインターネット接続のみを極力可能とする通信システムおよびサーバ装置を提供することを目的とする。
【課題を解決するための手段】
【０００７】
本発明の第１の特徴は、通信システムにおいて、携帯端末装置と、学校内にある前記携帯端末装置を収容する構内基地局装置と、前記携帯端末装置による前記構内基地局装置を介したネットワークシステムへのアクセスを管理するサーバ装置とを備え、前記サーバ装置が、前記携帯端末装置からのアクセス要求を受信する受信手段と、前記携帯端末装置の端末識別情報と前記携帯端末装置のユーザが受講する授業の授業識別情報と前記授業の行われる日時情報と前記授業において前記アクセス要求の種別ごとの許否を示すアクセス許否情報とを対応づけて記憶する記憶手段と、前記アクセス要求を受信した日時の前記日時情報と前記アクセス要求に含まれる前記端末識別情報とに基づいて前記記憶手段を検索して前記授業識別情報を特定し当該授業識別情報および前記アクセス要求の種別とに対応する前記アクセス許否情報が許可を示すときにのみ前記携帯端末装置の前記ネットワークシステムへのアクセスを許可する制御手段と、を具備するようにしたことである。
【０００８】
本発明の第２の特徴は、サーバ装置において、携帯端末装置からのアクセス要求を受信する受信手段と、前記携帯端末装置の端末識別情報と前記携帯端末装置のユーザが受講する授業の授業識別情報と前記授業の行われる日時情報と前記授業において前記アクセス要求の種別ごとの許否を示すアクセス許否情報とを対応づけて記憶する記憶手段と、前記アクセス要求を受信した日時の前記日時情報と前記アクセス要求に含まれる前記端末識別情報とに基づいて前記記憶手段を検索して前記授業識別情報を特定し当該授業識別情報および前記アクセス要求の種別とに対応する前記アクセス許否情報が許可を示すときにのみ前記携帯端末装置の前記ネットワークシステムへのアクセスを許可する制御手段と、を具備するようにしたことである。
【発明の効果】
【０００９】
本発明によれば、授業や講義で必要となるメールの送受信やインターネット接続のみを極力可能とする通信システムおよびサーバ装置を提供することができる。
【発明を実施するための最良の形態】
【００１０】
以下、本発明の実施の形態について図面を参照して詳細に説明する。なお、実施の形態において、同一の構成要素には同一の符号を付し、その説明は重複するので省略する。
【００１１】
（実施の形態１）
まず、本実施の形態に係る通信システムの構成について、図１を参照して説明する。
【００１２】
通信システム１０は、図１に示すように、構内ネットワークシステム２０と、情報通信ネットワークシステム３０と、メールサーバ装置４０と、コンテンツサーバ装置５０とを備える。また、構内ネットワークシステム２０は、携帯端末装置１０１−１〜ｎと、学校内にある携帯端末装置１０１を収容する構内基地局装置１０２と、携帯端末装置１０１による構内基地局装置１０２を介したネットワークシステムへのアクセスを管理するプロキシサーバ装置１０３と、管理用装置１０４とを備える。
【００１３】
携帯端末装置１０１は、講義に関する情報を取得又は提供するためのツールとして用いられるものであり、構内基地局装置１０２、プロキシサーバ装置１０３および情報通信ネットワークシステム３０を介して、メールサーバ装置４０との間でメールの送受信を行い、また、コンテンツサーバ装置５０からコンテンツ情報を受信することができる。
【００１４】
ただし、本実施の形態に係る通信システム１０においては、講義に関係のないことに携帯端末装置１０１を利用することにより他の生徒にかかる迷惑を防止するために、プロキシサーバ装置１０３は、講義以外の目的で携帯端末装置１０１がメールサーバ装置４０およびコンテンツサーバ装置５０などにアクセスすることを制限する。また、プロキシサーバ装置１０３は、携帯端末装置１０１のユーザ（生徒）が受講する講義に関する情報のみをメールサーバ装置４０との間で送受信を行い、また、コンテンツサーバ装置５０から受信することができるように制御している。
【００１５】
プロキシサーバ装置１０３は、構内基地局装置１０２のエリア内にある携帯端末装置１０１が情報通信ネットワークシステム３０を介して行う、上記のような通信の制御を行う。
【００１６】
管理用装置１０４は、プロキシサーバ装置１０３が上記のような制御を行うための種々の情報をプロキシサーバ装置１０３に設定するために用いる装置である。
【００１７】
図２に示すように、プロキシサーバ装置１０３は、データ設定権限者データベース部１３３、授業データベース部１３４および条件データベース部１３５が記憶する各種データの登録を制御する制御手段としてのデータ設定許可判定部１３１と、送受信部１３２と、データ設定権限者データベース部１３３と、携帯端末装置１０１の端末ＩＤと携帯端末装置１０１のユーザが受講する授業の授業ＩＤとその授業の行われる日時情報とその授業においてアクセス要求の種別（例えば、メール受信要求、メール送信要求およびＷＥＢ閲覧要求など）ごとの許可不許可を示すアクセス許否情報とを対応づけて記憶する記憶手段としての授業データベース部１３４および条件データベース部１３５と、アクセス要求を受信した日時の日時情報とアクセス要求に含まれる端末ＩＤとに基づいて授業データベース部１３４を検索して授業ＩＤを特定しこの授業ＩＤおよびアクセス要求の種別とに対応するアクセス許否情報が許可を示すときにのみ携帯端末装置１０１のネットワークシステムへのアクセスを許可する制御手段としての制御部１３６と、日時情報取得部１３７とを備える。
【００１８】
授業データベース部１３４は、図３に示すようなテーブルを保持しており、授業を特定する授業ＩＤと、曜日情報および時間帯情報を含むスケジュール情報と、その授業を受講する生徒情報と、その授業を受講する生徒が持っている携帯端末装置１０１を特定するための端末ＩＤと、その授業に関してデータ設定権限者データベース部１３３、授業データベース部１３４又は条件データベース部１３５のデータ設定権限を持っている者を特定するデータ設定権限者情報とを対応づけて記憶している。
【００１９】
例えば、図３においては、授業ＩＤ「００１」の授業は月曜日の８：００から１０：００の間に行われ、その受講生徒はＡＡＡＡ、ＢＢＢＢ、ＣＣＣＣおよびＤＤＤＤである。また、例えば、生徒「ＡＡＡＡ」は、端末ＩＤ「ａａａａａａ」で特定される携帯端末装置１０１を持っている。なお、授業ＩＤは、図４に示すように、曜日情報、時間帯情報およびその授業が行われる教室情報から特定される授業の各々に付加される。
【００２０】
データ設定権限者データベース部１３３は、図５に示すように、データ設定権限者情報とパスワード情報とを対応づけて記憶している。
【００２１】
条件データベース部１３５は、図６に示すようなテーブルを保持しており、授業ＩＤで特定される授業において、動作種別の各々が許可されるか又は許可されないか、具体的にはメール受信、メール送信又はＷＥＢ閲覧などが許可されるか又は許可されないかが規定されている。例えば、授業ＩＤ「００１」により特定される授業では、メール受信、メール送信およびＷＥＢ閲覧のすべてが不許可となっている。
【００２２】
データ設定許可判定部１３１は、送受信部１３２を介して管理用装置１０４から設定データを受け取ると、その設定データに付加されているデータ設定者情報、パスワード情報および授業ＩＤを取得する。そして、データ設定許可判定部１３１は、その授業ＩＤと一致する授業ＩＤと対応づけて授業データベース部１３４に記憶されているデータ設定管理者情報と、設定データから取得したデータ設定者情報とが一致するか否かを判定する。
【００２３】
一致すると判定した場合には、データ設定許可判定部１３１は、設定情報から取得したデータ設定者情報およびパスワード情報と、データ設定権限者データベース部１３３に対応づけられて記憶されているデータ設定権限者情報およびパスワード情報とが一致するか否かを判定する。
【００２４】
判定の結果、設定情報から取得したデータ設定者情報およびパスワード情報と、データ設定権限者データベース部１３３に対応づけられて記憶されているデータ設定権限者情報およびパスワード情報とが一致するときには、データ設定許可判定部１３１は、管理用装置１０４から受け取った設定データが設定権限を持つ者から送られたものであると判定し、上記設定データを基にしてその設定データに含まれる授業ＩＤにより特定される授業に関するデータ設定を、授業データベース部１３４又は条件データベース部１３５に施す。こうすることで、データ設定権限者のみが設定データの設定を行うことができるので安全性が保たれ、また、生徒や聴講者自身に設定を行わせることなく、授業や講義で必要となるメールの送受信やインターネット接続のみを極力可能とすることができる。
【００２５】
制御部１３６は、日時情報取得部１３７からその日の曜日情報および現在時間情報を含む日時情報を取得する。また、制御部１３６は、送受信部１３２を介して携帯端末装置１０１からその携帯端末装置１０１の端末ＩＤを含むメール受信要求を受け取ると、その端末ＩＤおよび日時情報取得部１３７から取得した曜日情報と一致する端末ＩＤおよび曜日情報を持ち、かつ、日時情報取得部１３７から取得した現在時刻情報が含まれる時間帯情報を持つ授業ＩＤを授業データベース部１３４から取得する。具体的には、端末ＩＤ「ａａａａａａ」を持つ携帯端末装置１０１から、月曜日の８：３０にメール受信要求があったときには、制御部１３６は、図３に示すテーブルから授業ＩＤ「００１」を取得する。
【００２６】
そして、制御部１３６は、授業データベース部１３４から取得した授業ＩＤにより特定される授業においてメール受信という動作種別が許可されているか否かを条件データベース部１３５を参照して確認する。
【００２７】
確認の結果、メール受信という動作種別が条件データベース部１３５にて許可されている場合には、制御部１３６は、メール受信要求をメールサーバ装置４０に送受信部１３２を介して送信する制御を行う。
【００２８】
一方、確認の結果、メール受信という動作種別が条件データベース部１３５にて不許可とされている場合には、制御部１３６は、特別の動作を伴わない。こうすることで、授業を受けている生徒の携帯端末装置１０１は、プロキシサーバ装置１０３により授業と関係のないメールの受信が制限される。
【００２９】
なお、日時情報取得部１３７から取得した曜日情報および現在時刻情報から特定されるスケジュール情報と一致する授業ＩＤのすべてに、メール受信要求を送信してきた携帯端末装置１０１の端末ＩＤが対応づけられて記憶されていない場合には、制御部１３６は、メール受信要求をメールサーバ装置４０に対して送信する制御を行う。具体的には、月曜日の８：３０に端末ＩＤ「ｘｘｘｘ」を持つ携帯端末装置１０１からメール受信要求を受け取ったときには、月曜日、８：３０から特定される授業ＩＤ、すなわち図３においては授業ＩＤ００１および授業ＩＤ００２に、端末ＩＤ「ｘｘｘｘ」が対応づけられて記憶されていないので、制御部１３６は、メール受信要求をメールサーバ装置４０に対して送信する制御を行う。これにより、構内にいるが授業を受ける必要のない生徒が自身の携帯端末装置１０１を用いてメールすることは、妨げられない。
【００３０】
次いで、プロキシサーバ装置１０３の条件データベース部１３５に記憶されている条件の登録について図７を参照して説明する。
【００３１】
条件を登録する者は、まず管理用装置１０４に条件を入力する（ステップＳＴ２０１）。その入力の際に利用する管理用装置１０４の画面構成の一例を図８に示す。この画面を用いて行われる条件入力は、具体的には、まず、授業ＩＤ、日時情報、授業ＩＤにより特定される授業が行われる教室情報、データ設定者情報およびパスワード情報の入力が行われる。そして、メール受信、メール送信およびＷＥＢ閲覧の各々を許可又は不許可とするかがラジオボタンにより入力される。また、ラジオボタンにより入力された許可又は不許可を示す情報を受講者の全員に適用するのか、又は選択した受講者のみに適用するのかがラジオボタンにより入力される。受講者の中の一部選択は、画面上の受講者名簿の領域に表示されている受講者名を選択することにより行うことができる。
【００３２】
そして、ステップＳＴ２０１にて行われる入力が完了し、画面上の登録ボタンを選択すると、管理用装置１０４は、入力された条件に係る設定データをプロキシサーバ装置１０３に送信する（ステップＳＴ２０２）。
【００３３】
ステップＳＴ２０３において、プロキシサーバ装置１０３は、管理用装置１０４から設定データを受け取ると、その設定データに付加されているデータ設定者情報、パスワード情報および授業ＩＤを取得する。
【００３４】
そして、ステップＳＴ２０４において、プロキシサーバ装置１０３は、データ設定許可判定部１３１にて、その授業ＩＤと一致する授業ＩＤと対応づけて授業データベース部１３４にて記憶されているデータ設定権限者情報と、設定データから取得したデータ設定者情報とが一致するか否かを判定する。一致すると判定した場合（ステップＳＴ２０４：ＹＥＳ）には、データ設定許可判定部１３１は、設定情報から取得したデータ設定者情報およびパスワード情報と、データ設定権限者データベース部１３３に対応づけられて記憶されているデータ設定権限者情報およびパスワード情報とが一致するか否かを判定する（ステップＳＴ２０５）。
【００３５】
判定の結果、設定情報から取得したデータ設定者情報およびパスワード情報と、データ設定権限者データベース部１３３に対応づけられて記憶されているデータ設定権限者情報およびパスワード情報とが一致するとき（ステップＳＴ２０５：ＹＥＳ）には、データ設定許可判定部１３１は、管理用装置１０４から受け取った設定データが設定権限を持つ者から送られたものであると判定し、上記設定データを基にしてその設定データに含まれる授業ＩＤにより特定される授業に関するデータ設定を、授業データベース部１３４又は条件データベース部１３５に施す（ステップＳＴ２０６）。
【００３６】
なお、ステップＳＴ２０３にて取得した授業ＩＤと一致する授業ＩＤと対応づけて授業データベース部１３４にて記憶されているデータ設定権限者情報と、設定データから取得したデータ設定者情報とが一致しないとき（ステップＳＴ２０４：ＮＯ）および設定情報から取得したデータ設定者情報およびパスワード情報と、データ設定権限者データベース部１３３に対応づけられて記憶されているデータ設定権限者情報およびパスワード情報とが一致しないとき（ステップＳＴ２０５：ＮＯ）には、プロキシサーバ装置１０３は、特別の動作を行わない。
【００３７】
なお、本実施の形態においては、管理用装置１０４を用いて入力されるパスワード情報をデータ設定権限者識別情報として用いて設定権限者の認証を行い、授業データベース部１３４又は条件データベース部１３５の各種情報の登録を行うこととして説明を行ったが、本発明はこれに限定されるものではなく、例えば、網膜パタン、指紋、声などの生体情報をデータ設定権限者識別情報として用いてもよい。
【００３８】
この場合には、まずデータ設定権限者データベース部１３３は、パスワード情報の代わりに上記網膜パタンなどのデータ設定権限者識別情報を記憶する必要がある。
【００３９】
そして、登録を行う際には、登録者は管理用装置１０４のデータ設定者識別情報入力手段（図示せず）から上記網膜パタンなどのデータ設定者識別情報を入力する。そして、入力が完了すると、管理用装置１０４はその網膜パタンなどのデータ設定者識別情報を含めた設定データをプロキシサーバ装置１０３に送信する。
【００４０】
次に、プロキシサーバ装置１０３のデータ設定許可判定部１３１は、上記説明におけるパスワード情報の代わりに上記網膜パタンなどのデータ設定者識別情報とデータ設定権限者データベース部１３３にて記憶されているデータ設定権限者識別情報とが一致するか否かにより、設定データが権限を有する者により入力されたものかを判断する。
【００４１】
また、管理用装置１０４からパスワードを入力する手段としてＩＣカードを利用することもできる。
【００４２】
次いで、授業中における通信システム１０の動作について図９を参照して説明する。
【００４３】
まず、ステップＳＴ３０１にて、授業において必要な情報をメールにより受信するためのメール受信操作が、携帯端末装置１０１に施される。
【００４４】
ステップＳＴ３０２において、携帯端末装置１０１は、メール受信要求をプロキシサーバ装置１０３に送信する。
【００４５】
ステップＳＴ３０３において、プロキシサーバ装置１０３は、制御部１３６にて、送受信部１３２を介して携帯端末装置１０１からその携帯端末装置１０１の端末ＩＤを含むメール受信要求を受け取ると、その端末ＩＤおよび日時情報取得部１３７から取得した曜日情報と一致する端末ＩＤおよび曜日情報を持ち、かつ、日時情報取得部１３７から取得した現在時刻情報が含まれる時間帯情報を持つ授業ＩＤを授業データベース部１３４から取得する。
【００４６】
ステップＳＴ３０４において、プロキシサーバ装置１０３は、制御部１３６にて、授業データベース部１３４から取得した授業ＩＤにより特定される授業においてメール受信という動作種別が条件データベース部１３５にて許可されているか否かを判定する。
【００４７】
判定の結果、メール受信という動作種別が条件データベース部１３５にて許可されている場合（ステップＳＴ３０４：ＹＥＳ）には、プロキシサーバ装置１０３は、メール受信要求をメールサーバ装置４０に送受信部１３２を介して送信する（ステップＳＴ３０５）。なお、判定の結果、メール受信という動作種別が条件データベース部１３５にて不許可とされている場合（ステップＳＴ３０４：ＮＯ）には、プロキシサーバ装置１０３は、特別の動作を伴わない。
【００４８】
そして、ステップＳＴ３０６において、プロキシサーバ装置１０３は、そのメール受信要求に応答してメールサーバ装置４０から送達されるメールを、メール受信要求を送信してきた携帯端末装置１０１に対して転送する。
【００４９】
なお、本実施の形態においては、メール受信について説明したが、メール送信、ＷＥＢ閲覧の場合についても同様である。
【００５０】
すなわち、メール送信のときには、プロキシサーバ装置１０３は携帯端末装置１０１からメール送信要求を受信し、制御部１３６にて、そのメール送信要求に含まれる端末ＩＤおよび日時情報取得部１３７から取得した曜日情報と一致する端末ＩＤおよび曜日情報を持ち、かつ、日時情報取得部１３７から取得した現在時刻情報が含まれる時間帯情報を持つ授業ＩＤを授業データベース部１３４から取得する。そして、プロキシサーバ装置１０３は、制御部１３６にて、授業データベース部１３４から取得した授業ＩＤにより特定される授業においてメール送信という動作種別が条件データベース部１３５にて許可されているか否かを判定する。
【００５１】
判定の結果、メール送信という動作種別が条件データベース部１３５にて許可されている場合には、プロキシサーバ装置１０３は、携帯端末装置１０１によるメールの送信を許可する制御を行う。なお、確認の結果、メール送信という動作種別が条件データベース部１３５にて不許可とされている場合には、プロキシサーバ装置１０３は、特別の動作を伴わない。
【００５２】
また、ＷＥＢ閲覧のときには、プロキシサーバ装置１０３は携帯端末装置１０１からＷＥＢ閲覧要求を受信し、制御部１３６にて、そのＷＥＢ閲覧要求に含まれる端末ＩＤおよび日時情報取得部１３７から取得した曜日情報と一致する端末ＩＤおよび曜日情報を持ち、かつ、日時情報取得部１３７から取得した現在時刻情報が含まれる時間帯情報を持つ授業ＩＤを授業データベース部１３４から取得する。そして、プロキシサーバ装置１０３は、制御部１３６にて、授業データベース部１３４から取得した授業ＩＤにより特定される授業においてＷＥＢ閲覧という動作種別が条件データベース部１３５にて許可されているか否かを判定する。
【００５３】
判定の結果、ＷＥＢ閲覧という動作種別が条件データベース部１３５にて許可されている場合には、プロキシサーバ装置１０３は、携帯端末装置１０１によるＷＥＢ閲覧を許可する制御を行う。なお、確認の結果、ＷＥＢ閲覧という動作種別が条件データベース部１３５にて不許可とされている場合には、プロキシサーバ装置１０３は、特別の動作を伴わない。
【００５４】
また、本実施の形態の通信システム１０においては、１つの授業ＩＤに１つの時間帯情報を対応づけ、さらに１つの授業ＩＤに対して動作種別の各々の許可不許可を定めているが、本発明はこれに限定されるものではなく、１つの授業ＩＤに複数の時間帯情報を対応づけ、さらに上記複数の時間帯情報に対して動作種別の各々の許可不許可を対応づけてもよい。この場合の条件データベース部１３５にて保持するテーブル構成の一例を図１０に示す。図１０に示すように、例えば、授業ＩＤ「００１」により特定される授業は８：００から１０：００まで行われるが、その授業を８：００から９：００までの前半と９：００から１０：００までの後半に分け、前半後半の各々に対して動作種別の各々の許可不許可を定めている。
【００５５】
このときのプロキシサーバ装置１０３の動作を動作種別がメール受信である場合について説明する。
【００５６】
プロキシサーバ装置１０３は携帯端末装置１０１からメール受信要求を受信し、制御部１３６にて、そのメール受信要求に含まれる端末ＩＤおよび日時情報取得部１３７から取得した曜日情報と一致する端末ＩＤおよび曜日情報を持ち、かつ、日時情報取得部１３７から取得した現在時刻情報が含まれる時間帯情報を持つ授業ＩＤを授業データベース部１３４から取得する。そして、プロキシサーバ装置１０３は、制御部１３６にて、授業データベース部１３４から取得した授業ＩＤにより特定される授業に対応し、かつ、日時情報取得部１３７から取得した現在時刻情報が含まれる時間帯ではメール受信という動作種別が条件データベース部１３５にて許可されているか否かを判定する。
【００５７】
判定の結果、メール受信という動作種別が条件データベース部１３５にて許可されている場合には、プロキシサーバ装置１０３は、携帯端末装置１０１によるメールを許可する制御を行う。なお、判定の結果、メール受信という動作種別が条件データベース部１３５にて不許可とされている場合には、プロキシサーバ装置１０３は、特別の動作を伴わない。こうすることにより、１つの授業時間内において時間帯を複数に分割し、例えば、授業の前半はメールの使用を許可し、授業の後半は不許可とするなどの柔軟な設定をすることができる。
【００５８】
また、本実施の形態の通信システム１０においては、１つの授業ＩＤにその授業ＩＤから特定される授業を受講するすべての生徒を１グループとして対応づけ、さらに１つの授業ＩＤ、換言すればその授業を受講するすべての生徒に対して動作種別の各々の許可不許可を定めているが、本発明はこれに限定されるものではなく、授業ＩＤから特定される授業を受講する生徒を複数のグループに分け、そのグループ各々に対して動作種別の各々の許可不許可を定めてもよい。この場合の条件データベース部１３５にて保持するテーブル構成の一例を図１１に示す。図１１に示すように、例えば、授業ＩＤ「００１」により特定される授業は端末ＩＤが「ａａａａ」および「ｂｂｂｂ」の携帯端末装置１０１を持つ生徒と、端末ＩＤが「ｃｃｃｃ」および「ｄｄｄｄ」の携帯端末装置１０１を持つ生徒のグループに分けられており、各々のグループに対して動作種別の各々の許可不許可が定められている。
【００５９】
このときのプロキシサーバ装置１０３の動作を動作種別がメール受信である場合について説明する。
【００６０】
プロキシサーバ装置１０３は携帯端末装置１０１からメール受信要求を受信し、制御部１３６にて、そのメール受信要求に含まれる端末ＩＤおよび日時情報取得部１３７から取得した曜日情報と一致する端末ＩＤおよび曜日情報を持ち、かつ、日時情報取得部１３７から取得した現在時刻情報が含まれる時間帯情報を持つ授業ＩＤを授業データベース部１３４から取得する。そして、プロキシサーバ装置１０３は、制御部１３６にて、授業データベース部１３４から取得した授業ＩＤにより特定される授業でメール受信要求に含まれる端末ＩＤに関し、メール受信という動作種別が条件データベース部１３５にて許可されているか否かを判定する。
【００６１】
判定の結果、メール受信という動作種別が条件データベース部１３５にて許可されている場合には、プロキシサーバ装置１０３は、その携帯端末装置１０１によるメールを許可する制御を行う。なお、確認の結果、メール送信という動作種別が条件データベース部１３５にて不許可とされている場合には、プロキシサーバ装置１０３は、特別の動作を伴わない。こうすることにより、授業時間内でグループを作り、グループごとに別の学習テーマを与えるような授業形態にも対応することができる。
【００６２】
このように実施の形態１に係る通信システム１０において、プロキシサーバ装置１０３においては、携帯端末装置１０１からアクセス要求（メール受信要求、メール送信要求およびＷＥＢ閲覧要求）を受信し、そのアクセス要求を受信した日時の日時情報とアクセス要求に含まれる端末ＩＤとに基づいて授業データベース部１３４を検索して授業ＩＤを特定し、この授業ＩＤおよびアクセス要求の種別とに対応するアクセス許否情報が条件データベース部１３５にて許可を示すときにのみ、アクセス要求をしてきた携帯端末装置１０１の学校外のネットワークシステム、すなわち情報通信ネットワークシステム３０やその情報通信ネットワークシステム３０を介したメールサーバ装置４０およびコンテンツサーバ装置５０へのアクセスを制御することができる。
【００６３】
従って、授業や講義で必要となるメールの送受信やインターネット接続のみを極力可能とすることができ、その結果として、講義に関係のないことに携帯端末装置１０１を利用することにより他の生徒にかかる迷惑を防止することができる。
【００６４】
（実施の形態２）
図１２に示すように、実施の形態２に係る通信システム１０Ａは、実施の形態１に係る通信システム１０と同様の全体構成を有している。ただし、通信システム１０のプロキシサーバ装置１０３においては１つの授業ＩＤに対して動作種別の各々の許可不許可を定めてメールの受信などの管理を行ったが、通信システム１０Ａのプロキシサーバ装置１０３Ａにおいては動作種別の各々の許可不許可だけでなく、例えば、動作種別がメール受信であれば、その内容を監視して特定の差出人アドレス、特定のタイトル又は特定のキーワードが含まれるメールのみの受信を許可する制御を行う。
【００６５】
通信システム１０Ａにおけるプロキシサーバ装置１０３Ａは、図１３に示すように、プロキシサーバ装置１０３と同じ基本構成を有している。ただし、制御部１３６Ａは、モニタリング部１４１を備える。
【００６６】
条件データベース部１３５Ａは、図１４に示すようなテーブルを保持しており、授業ＩＤ、動作種別および監視項目の組みに対して、監視内容が各々対応づけられた「条件」が記憶されている。図１４に示すように、例えば、授業ＩＤ「００１」、動作種別が「メール受信」および監視項目が「タイトル」の組みに対しては「ｍｍｍｍ」という監視内容が対応づけられた「条件」が記憶されている。図１４に記憶されている「条件」について説明すると、例えば、上記「条件」は、授業ＩＤ「００１」により特定される授業においては、携帯端末装置１０１によるメールの受信に関し、タイトルが「ｍｍｍｍ」のメールのみ受信を許可することを示している。なお、本実施の形態においては、例えばメール受信に関しては、差出人、タイトルおよびキーワードの監視項目に各々対応する監視内容と一致するメールのみ受信が許される。また、メール送信に関しては、宛先、タイトルおよびキーワードの監視項目に各々対応する監視内容と一致するメールのみ受信が許される。
【００６７】
制御部１３６Ａは、送受信部１３２を介して携帯端末装置１０１からその携帯端末装置１０１の端末ＩＤを含むメール受信要求を受け取ると、その端末ＩＤおよび日時情報取得部１３７から取得した曜日情報と一致する端末ＩＤおよび曜日情報を持ち、かつ、日時情報取得部１３７から取得した現在時刻情報が含まれる時間帯情報を持つ授業ＩＤを授業データベース部１３４から取得する。
【００６８】
そして、制御部１３６Ａは、授業データベース部１３４から取得した授業ＩＤおよび動作種別のメール受信に対応する監視項目および監視内容を条件データベース部１３５Ａから取得する。
【００６９】
また、制御部１３６Ａは、メール受信要求をメールサーバ装置４０に送受信部１３２を介して送信する制御を行う。そして、制御部１３６Ａは、メール受信要求に応答してメールサーバ装置４０から送達されるメールを送受信部１３２を介して受信する。
【００７０】
そして、制御部１３６Ａは、モニタリング部１４１にて、前もって条件データベース部１３５Ａから取得しておいた監視項目および監視内容に基づいて、メールサーバ装置４０から送達されたメールを監視する。
【００７１】
制御部１３６Ａは、メールの監視項目に対応した部分が監視内容と一致するときには、メールサーバ装置４０から送達されたメールをメール受信要求を送信してきた携帯端末装置１０１に対して転送する。一方、メールの監視項目に対応した部分が監視内容と一致しないときには、制御部１３６Ａは、メールサーバ装置４０から送達されたメールをメール受信要求を送信してきた携帯端末装置１０１に対して転送しない。
【００７２】
なお、本実施の形態においては、メール受信について説明したが、メール送信、ＷＥＢ閲覧の場合についても同様である。
【００７３】
すなわち、メール送信のときには、プロキシサーバ装置１０３Ａは携帯端末装置１０１からメール送信要求を受信し、制御部１３６Ａにて、そのメール送信要求に含まれる端末ＩＤおよび日時情報取得部１３７から取得した曜日情報と一致する端末ＩＤおよび曜日情報を持ち、かつ、日時情報取得部１３７から取得した現在時刻情報が含まれる時間帯情報を持つ授業ＩＤを授業データベース部１３４から取得する。
【００７４】
そして、制御部１３６Ａは、授業データベース部１３４から取得した授業ＩＤおよび動作種別のメール送信に対応する監視項目および監視内容を条件データベース部１３５Ａから取得する。
【００７５】
そして、プロキシサーバ装置１０３Ａは、携帯端末装置１０１から送信されるメールを受信する。
【００７６】
制御部１３６Ａは、モニタリング部１４１にて、前もって条件データベース部１３５Ａから取得しておいた監視項目および監視内容に基づいて、携帯端末装置１０１から送信されたメールを監視する。
【００７７】
制御部１３６Ａは、メールの監視項目に対応した部分が監視内容と一致するときには、携帯端末装置１０１から送信されたメールをそのメールの宛先に対して転送する。一方、メールの監視項目に対応した部分が監視内容と一致しないときには、制御部１３６Ａは、携帯端末装置１０１から送信されたメールを転送しない。
【００７８】
また、ＷＥＢ閲覧のときには、プロキシサーバ装置１０３Ａは携帯端末装置１０１からＷＥＢ閲覧要求を受信し、制御部１３６Ａにて、そのＷＥＢ閲覧要求に含まれる端末ＩＤおよび日時情報取得部１３７から取得した曜日情報と一致する端末ＩＤおよび曜日情報を持ち、かつ、日時情報取得部１３７から取得した現在時刻情報が含まれる時間帯情報を持つ授業ＩＤを授業データベース部１３４から取得する。
【００７９】
そして、制御部１３６Ａは、授業データベース部１３４から取得した授業ＩＤおよび動作種別のメール送信に対応する監視項目および監視内容を条件データベース部１３５Ａから取得する。
【００８０】
制御部１３６Ａは、モニタリング部１４１にて、条件データベース部１３５Ａから取得した監視項目および監視内容に基づいて、携帯端末装置１０１から送信されたウェブ閲覧要求に含まれるＵＲＬを監視する。
【００８１】
制御部１３６Ａは、ウェブ閲覧要求の監視項目に対応した部分が監視内容と一致するとき、すなわちウェブ閲覧要求に含まれるＵＲＬと、条件データベース部１３５Ａから取得した監視内容であるＵＲＬとが一致するときには、ウェブ閲覧要求を送信してきた携帯端末装置１０１をそのウェブ閲覧要求に含まれるＵＲＬへ繋ぐ制御を行う。
【００８２】
このように実施の形態２に係る通信システム１０Ａにおいて、プロキシサーバ装置１０３Ａにおいては、携帯端末装置１０１からのメール受信要求を受信しその要求に応じてメールサーバ装置４０から受信メールの受信を行い、メール受信要求を受信した日時の日時情報とメール受信要求に含まれる端末ＩＤとに基づいて授業データベース部１３４を検索して授業ＩＤを特定し、受信メールにおける、特定した授業ＩＤの条件データベース部１３５Ａにて記憶されている監視項目（例えば、差出人、タイトル、キーワードなど）に対応する部分に監視内容が含まれているときにのみ受信メールの携帯端末装置１０１への転送を制御することができる。
【００８３】
従って、授業に必要な受信メールに関し監視項目ごとの監視内容を予め定めておけば、その監視項目に対応した監視内容が含まれないメールの携帯端末装置１０１による受信を制限することができるので、授業や講義で必要となるメールの受信のみを可能とすることができ、その結果として、講義に関係のないことに携帯端末装置１０１を利用することにより他の生徒にかかる迷惑を防止することができる。
【００８４】
また、実施の形態２に係る通信システム１０Ａにおいて、プロキシサーバ装置１０３Ａにおいては、携帯端末装置１０１からのメール送信要求を受信しその要求に応じて携帯端末装置１０１から送信メールの受信を行い、メール送信要求を受信した日時の日時情報とメール送信要求に含まれる端末ＩＤとに基づいて授業データベース部１３４を検索して授業ＩＤを特定し、送信メールにおける、特定した授業ＩＤの条件データベース部１３５Ａにて記憶されている監視項目（例えば、宛先、タイトル、キーワードなど）に対応する部分に監視内容が含まれているときにのみ送信メールの転送を制御することができる。
【００８５】
従って、授業に必要な送信メールに関し監視項目ごとの監視内容を予め定めておけば、その監視項目に対応した監視内容が含まれないメールの携帯端末装置１０１による送信を制限することができるので、授業や講義で必要となるメールの送信のみを可能とすることができ、その結果として、講義に関係のないことに携帯端末装置１０１を利用することにより他の生徒にかかる迷惑を防止することができる。
【００８６】
また、実施の形態２に係る通信システム１０Ａにおいて、プロキシサーバ装置１０３Ａにおいては、携帯端末装置からのウェブ閲覧要求を受信し、メール送信要求を受信した日時の日時情報とウェブ閲覧要求に含まれる端末ＩＤとに基づいて授業データベース部１３４を検索して授業ＩＤを特定し、ウェブ閲覧要求における、特定した授業ＩＤの条件データベース部１３５Ａにて記憶されている監視項目（例えば、ＵＲＬなど）に対応する部分に監視内容が含まれているときにのみ、ウェブへのアクセスを制御することができる。
【００８７】
従って、授業に必要なＷＥＢに関し監視項目ごとの監視内容を予め定めておけば、その監視項目に対応した監視内容が含まれないＷＥＢへの携帯端末装置１０１によるアクセスを制限することができるので、授業や講義で必要となるインターネット接続のみを可能とすることができ、その結果として、講義に関係のないことに携帯端末装置１０１を利用することにより他の生徒にかかる迷惑を防止することができる。
【産業上の利用可能性】
【００８８】
本発明は、授業や講義で必要となるメールの送受信やインターネット接続のみを可能とすることができ、講義に関係のないことに携帯端末装置を利用することにより他の生徒にかかる迷惑を防止することができる通信システムおよびサーバ装置として有用である。
【図面の簡単な説明】
【００８９】
【図１】本発明の実施の形態１に係る通信システムの全体構成図
【図２】図１のプロキシサーバ装置の構成を示すブロック図
【図３】図２の授業データベース部にて記憶されているテーブル構成の一例を示す図
【図４】授業ＩＤの割り当て方を説明するための図
【図５】図２のデータ設定権限者データベース部にて記憶されているテーブル構成の一例を示す図
【図６】図２の条件データベース部にて記憶されているテーブル構成の一例を示す図
【図７】プロキシサーバ装置の条件データベース部に記憶されている条件の登録を説明するための図
【図８】条件入力の際に利用する管理用装置の画面構成の一例を示す図
【図９】授業中における通信システムの動作を説明するための図
【図１０】条件データベース部にて保持するテーブル構成の他の一例を示す図
【図１１】条件データベース部にて保持するテーブル構成の他の一例を示す図
【図１２】実施の形態２に係る通信システムの全体構成図
【図１３】図１２のプロキシサーバ装置の構成を示すブロック図
【図１４】図１１の条件データベース部にて記憶されているテーブル構成の一例を示す図
【符号の説明】
【００９０】
１０、１０Ａ    通信システム
２０    構内ネットワークシステム
３０    情報通信ネットワークシステム
４０    メールサーバ装置
５０    コンテンツサーバ装置
１０１    携帯端末装置
１０２    構内基地局装置
１０３、１０３Ａ    プロキシサーバ装置
１０４    管理用装置
１３１    データ設定許可判定部
１３２    送受信部
１３３    データ設定権限者データベース部
１３４    授業データベース部
１３５、１３５Ａ    条件データベース部
１３６、１３６Ａ    制御部
１３７    日時情報取得部
１４１    モニタリング部
【図１】
2006033366.tif 000003
【図２】
2006033366.tif 000004
【図３】
2006033366.tif 000005
【図４】
2006033366.tif 000006
【図５】
2006033366.tif 000007
【図６】
2006033366.tif 000008
【図７】
2006033366.tif 000009
【図８】
2006033366.tif 000010
【図９】
2006033366.tif 000011
【図１０】
2006033366.tif 000012
【図１１】
2006033366.tif 000013
【図１２】
2006033366.tif 000014
【図１３】
2006033366.tif 000015
【図１４】
2006033366.tif 000016